【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
複数の部分画像を繋ぎ合わせて、一つの画像を形成し出力する撮影装置であって、
第一の部分画像を撮影する第一の撮影素子と、
第二の部分画像を撮影する第二の撮影素子と、
前記第一の撮影素子の目標露出量である第一の露出量を決定する第一の露出量算出手段と、
前記第二の撮影素子の目標露出量である第二の露出量を決定する第二の露出量算出手段と、
前記第一の露出量と前記第二の露出量のうち大きい方の露出量を小さくした第三の露出量を決定する第三の露出量決定手段と、
前記第一の露出量と前記第二の露出量とに基づいて、前記第一の部分画像を補正する第一の補正ゲインと、前記第二の部分画像を補正する第二の補正ゲインと、を算出する補正ゲイン算出手段と、
前記第一の露出量と前記第二の露出量のうち露出量が小さい方の撮影素子について、該撮影素子の目標露出量を撮影時の露出量として撮影を行い、
前記第一の露出量と前記第二の露出量のうち露出量が大きい方の撮影素子について、前記第三の露出量を撮影時の露出量として撮影を行う撮影処理手段と、
前記第一の補正ゲインで前記第一の部分画像を補正し、前記第二の補正ゲインで前記第二の部分画像を補正する画像補正手段と、を有する撮影装置。
【請求項２】
前記第三の露出量決定手段は、前記第一の露出量と前記第二の露出量のうち大きい方を、前記第一の露出量と前記第二の露出量のうち小さい方を下限に、前記第一の露出量と前記第二の露出量の差の半分以下に小さくして前記第三の露出量を決定する請求項１に記載の撮影装置。
【請求項３】
前記第三の露出量決定手段は、前記第一の露出量と前記第二の露出量のうち大きい方を小さくすることで、前記第一の露出量と前記第二の露出量のうち小さい方と同じ値にして前記第三の露出量を決定する請求項１に記載の撮影装置。
【請求項４】
前記第一の部分画像及び前記第二の部分画像は円形であり、
前記第一の露出量と前記第二の露出量のうち露出量が小さい方の撮影素子の補正ゲインは、該撮影素子が撮影した部分画像の中央部から周辺部にかけて同心円状に徐々に大きくなるゲインであり、
前記第一の露出量と前記第二の露出量のうち露出量が大きい方の撮影素子の補正ゲインは、該撮影素子が撮影した部分画像の中央部の明るさを撮影素子の目標露出量で撮影した際の明るさと同程度とし、中央部から周辺部にかけて同心円状に徐々に小さくなるゲインである請求項１〜３のいずれか１項に記載の撮影装置。
【請求項５】
前記補正ゲイン算出手段は、
前記第一の露出量と前記第二の露出量のうち露出量が小さい方の撮影素子の補正ゲインとして、該撮影素子が撮影した部分画像の周辺部の明るさが、該撮影素子が撮影した部分画像の中央部の明るさよりも、前記第一の露出量で撮影した際の明るさと前記第二の露出量で撮影した際の明るさの差の半分だけ明るくなるように、該部分画像の中央部から周辺部にかけて同心円状に徐々に大きくなるゲインと、
前記第一の露出量と前記第二の露出量のうち露出量が大きい方の撮影素子の補正ゲインとして、該撮影素子が撮影した部分画像の周辺部の明るさが、該撮影素子が撮影した部分画像の中央部の明るさよりも、前記第一の露出量で撮影した際の明るさと前記第二の露出量で撮影した際の明るさの差の半分だけ暗くなるように、該部分画像の中央部から周辺部にかけて同心円状に徐々に小さくなるゲインと、
を算出する請求項４に記載の撮影装置。
【請求項６】
前記補正ゲイン算出手段は、
前記第一の露出量と前記第二の露出量のうち露出量が小さい方の撮影素子の補正ゲインとして、該撮影素子が撮影した部分画像の中央部からの距離に比例して周辺部にかけて同心円状に大きくなるゲインと、
前記第一の露出量と前記第二の露出量のうち露出量が大きい方の撮影素子の補正ゲインとして、該撮影素子が撮影した部分画像の中央部からの距離に比例して周辺部にかけて同心円状に小さくなるゲインと、
を算出する請求項４又は５に記載の撮影装置。
【請求項７】
前記補正ゲイン算出手段は、
前記第一の露出量と前記第二の露出量のうち露出量が小さい方の撮影素子の補正ゲインとして、該撮影素子が撮影した部分画像の中心部付近では緩やかな傾きであり、周辺部で大きな傾きで増加するゲインと、
前記第一の露出量と前記第二の露出量のうち露出量が大きい方の撮影素子の補正ゲインとして、該撮影素子が撮影した部分画像の中心部付近では緩やかな傾きであり、周辺部で大きな傾きで減少するゲインと、
を算出する請求項４又は５に記載の撮影装置。
【請求項８】
前記第三の露出量決定手段は、前記第三の露出量を、前記第一の露出量と前記第二の露出量のうち小さい方とし、
前記補正ゲイン算出手段は、
前記第一の露出量と前記第二の露出量のうち露出量が小さい方の撮影素子の補正ゲインとして、該撮影素子が撮影した部分画像の中央部にはゲインをかけず、該部分画像の中央部から周辺部にかけて同心円状に徐々に大きくなるゲインと、
前記第一の露出量と前記第二の露出量のうち露出量が大きい方の撮影素子の補正ゲインとして、該撮影素子が撮影した部分画像の中央部に最も大きいゲインをかけ、該部分画像の中央部から周辺部にかけて同心円状に徐々に小さくなるゲインであり、該部分画像の周辺部のゲインが前記第一の露出量と前記第二の露出量のうち露出量が小さい方の撮影素子の補正ゲインにおける周辺部のゲインと同程度であるゲインと、
を算出する請求項１〜７のいずれか１項に記載の撮影装置。 
【請求項９】
複数の部分画像を繋ぎ合わせて、一つの画像を形成し出力する情報処理システムであって、
第一の部分画像を撮影する第一の撮影素子と、
第二の部分画像を撮影する第二の撮影素子と、
前記第一の撮影素子の目標露出量である第一の露出量を決定する第一の露出量算出手段と、
前記第二の撮影素子の目標露出量である第二の露出量を決定する第二の露出量算出手段と、
前記第一の露出量と前記第二の露出量のうち大きい方の露出量を小さくした第三の露出量を決定する第三の露出量決定手段と、
前記第一の露出量と前記第二の露出量とに基づいて、前記第一の部分画像を補正する第一の補正ゲインと、前記第二の部分画像を補正する第二の補正ゲインと、を算出する補正ゲイン算出手段と、
前記第一の露出量と前記第二の露出量のうち露出量が小さい方の撮影素子について、該撮影素子の目標露出量を撮影時の露出量として撮影を行い、
前記第一の露出量と前記第二の露出量のうち露出量が大きい方の撮影素子について、前記第三の露出量を撮影時の露出量として撮影を行う撮影処理手段と、
前記第一の補正ゲインで前記第一の部分画像を補正し、前記第二の補正ゲインで前記第二の部分画像を補正する画像補正手段と、を有する情報処理システム。
【請求項１０】
複数の部分画像を繋ぎ合わせて、一つの画像を形成し出力する情報処理装置を機能させるためのプログラムであって、
前記情報処理装置は、
第一の部分画像を撮影する第一の撮影素子と、
第二の部分画像を撮影する第二の撮影素子と、
を有し、
前記第一の撮影素子の目標露出量である第一の露出量を決定する第一の露出量算出手段と、
前記第二の撮影素子の目標露出量である第二の露出量を決定する第二の露出量算出手段と、
前記第一の露出量と前記第二の露出量のうち大きい方の露出量を小さくした第三の露出量を決定する第三の露出量決定手段と、
前記第一の露出量と前記第二の露出量とに基づいて、前記第一の部分画像を補正する第一の補正ゲインと、前記第二の部分画像を補正する第二の補正ゲインと、を算出する補正ゲイン算出手段と、
前記第一の露出量と前記第二の露出量のうち露出量が小さい方の撮影素子について、該撮影素子の目標露出量を撮影時の露出量として撮影を行い、
前記第一の露出量と前記第二の露出量のうち露出量が大きい方の撮影素子について、前記第三の露出量を撮影時の露出量として撮影を行う撮影処理手段と、
前記第一の補正ゲインで前記第一の部分画像を補正し、前記第二の補正ゲインで前記第二の部分画像を補正する画像補正手段、として機能させるためのプログラム。
【請求項１１】
複数の部分画像を繋ぎ合わせて、一つの画像を形成し出力する撮影装置の画像処理方法であって、
前記撮影装置は、
第一の部分画像を撮影する第一の撮影素子と、
第二の部分画像を撮影する第二の撮影素子と、
を有し、
前記第一の撮影素子の目標露出量である第一の露出量を決定する第一の露出量算出ステップと、
前記第二の撮影素子の目標露出量である第二の露出量を決定する第二の露出量算出ステップと、
前記第一の露出量と前記第二の露出量のうち大きい方の露出量を小さくした第三の露出量を決定する第三の露出量決定ステップと、
前記第一の露出量と前記第二の露出量とに基づいて、前記第一の部分画像を補正する第一の補正ゲインと、前記第二の部分画像を補正する第二の補正ゲインと、を算出する補正ゲイン算出ステップと、
前記第一の露出量と前記第二の露出量のうち露出量が小さい方の撮影素子について、該撮影素子の目標露出量を撮影時の露出量として撮影を行い、
前記第一の露出量と前記第二の露出量のうち露出量が大きい方の撮影素子について、前記第三の露出量を撮影時の露出量として撮影を行う撮影処理ステップと、
前記第一の補正ゲインで前記第一の部分画像を補正し、前記第二の補正ゲインで前記第二の部分画像を補正する画像補正ステップと、を有する画像処理方法。
【手続補正２】
【補正対象書類名】明細書
【補正対象項目名】０００７
【補正方法】変更
【補正の内容】
【０００７】
本発明は、複数の部分画像を繋ぎ合わせて、一つの画像を形成し出力する撮影装置であって、第一の部分画像を撮影する第一の撮影素子と、第二の部分画像を撮影する第二の撮影素子と、前記第一の撮影素子の目標露出量である第一の露出量を決定する第一の露出量算出手段と、前記第二の撮影素子の目標露出量である第二の露出量を決定する第二の露出量算出手段と、前記第一の露出量と前記第二の露出量のうち大きい方の露出量を小さくした第三の露出量を決定する第三の露出量決定手段と、前記第一の露出量と前記第二の露出量に基づいて、前記第一の部分画像を補正する第一の補正ゲインと、前記第二の部分画像を補正する第二の補正ゲインと、を算出する補正ゲイン算出手段と、前記第一の露出量と前記第二の露出量のうち露出量が小さい方の撮影素子について、該撮影素子の目標露出量を撮影時の露出量として撮影を行い、前記第一の露出量と前記第二の露出量のうち露出量が大きい方の撮影素子について、前記第三の露出量を撮影時の露出量として撮影を行う撮影処理手段と、前記第一の補正ゲインで前記第一の部分画像を補正し、前記第二の補正ゲインで前記第二の部分画像を補正する画像補正手段と、を有する。